(57)【要約】【課題】スプロケット孔の両側に支持台を挿入することにより、ユーピレックス／カプトン等のポリイミド系樹脂を主材料とするＴＣＰ／ＣＯＦテープを補強して切れを最小化できるテンション防止構造を提供する。【解決手段】本発明はテンション防止構造に関し、所定のピッチ間隔で上段及び下段に各々形成される複数の第１及び第２スプロケット孔を有するテープキャリヤパッケージ／チップオンフィルムテープと、テープキャリヤパッケージ／チップオンフィルムテープの複数の第１または第２スプロケット孔の両側に形成されて、複数の第１または第２スプロケット孔に加えられるテンションを遮断するための支持台とを具備する。本発明によれば、スプロケット孔の両側に支持台を挿入することによりユーピレックス／カプトンを主材料とするＴＣＰ／ＣＯＦテープを補強して切れを最小化できる。【選択図】図２
2005197716.tif 000002
【特許請求の範囲】
【請求項１】
所定のピッチ間隔で上段及び下段に各々形成される複数の第１及び第２スプロケット孔を有するテープキャリヤパッケージ／チップオンフィルムテープと、
前記テープキャリヤパッケージ／チップオンフィルムテープの複数の第１または第２スプロケット孔の両側に形成されて、前記複数の第１または第２スプロケット孔に加えられるテンションを遮断するための支持台と、を具備することを特徴とするテンション防止構造。
【請求項２】
前記支持台は、スズ、アルミニウム、ガラス織物、ガラス繊維、フッ素系ポリマー、ポリエチレン、ポリエステル、綿、ナイロン、熱可塑性樹脂、鉛、銅、鉄、ポリウレタン、シリコン、ポリイミド、ポリスチレン、ポリカーボネート、及びポリアクリロニトリルブタジエンスチレン樹脂で構成されたグループから選択されるいずれかの１つからなることを特徴とする請求項１記載のテンション防止構造。
【請求項３】
前記テープキャリヤパッケージ／チップオンフィルムテープは、ポリイミドフィルムテープにスズ成分のパターンが入力及び出力パターンとして形成され、駆動集積回路が搭載され、リールに巻かれて製作されることを特徴とする請求項１記載のテンション防止構造。
【請求項４】
前記テープキャリヤパッケージ／チップオンフィルムテープは必要とするだけの大きさがカッティングラインに設定され、残りは回収されることを特徴とする請求項３記載のテンション防止構造。
【発明の詳細な説明】
【技術分野】
【０００１】
本発明は、テンション防止構造に関し、より詳細には、支持台を用いてテープキャリヤパッケージ（ｔａｐｅ  ｃａｒｒｉｅｒ  ｐａｃｋａｇｅ；以下、ＴＣＰという）／チップオンフィルム（ｃｈｉｐ  ｏｎ  ｆｉｌｍ；以下、ＣＯＦという）テープに加えられるテンションを遮断するテンション防止構造に関する。
【背景技術】
【０００２】
図１は、従来のＴＣＰ／ＣＯＦ構造を示す図面である。ＬＣＤを製造する場合、ＴＣＰ／ＣＯＦ組立てをする際に、ＴＣＰ／ＣＯＦをパンチングして各々のパターンに仮圧着させる。その際、各々のパンチングが完了してから、残っているスプロケット孔（ｓｐｒｏｃｋｅｔ  ｈｏｌｅ）１０２が形成されたフィルムテープが回収されて回収部に巻かれるが、既存のＴＣＰ／ＣＯＦにはユーピレックス／カプトン（Ｕｐｉｌｅｘ／Ｋａｐｔｏｎ）を主材料とするＴＣＰ／ＣＯＦのポリイミド（Ｐｏｌｙｉｍｉｄｅ）フィルムテープ１０４のみが存在するので、回収時に生じるテンションに耐えられなくて、切れが発生することになる。電子部品実装用フィルムキャリアテープを傷めず、安定に搬送することができるように構成した搬送装置としては、例えば特許文献１のような装置が開示されている。
【０００３】
【特許文献１】特開２００４−２６５９４３号公報
【発明の開示】
【発明が解決しようとする課題】
【０００４】
そこで、本発明は、上述した従来の問題点を解決するためになされたものであって、スプロケット孔の両側に支持台を挿入することにより、ユーピレックス／カプトン等のポリイミド系樹脂を主材料とするＴＣＰ／ＣＯＦテープを補強して切れを最小化できるテンション防止構造を提供することをその目的とする。
【課題を解決するための手段】
【０００５】
このような目的を達成するために、本発明は、所定のピッチ間隔で上段及び下段に各々形成される複数の第１及び第２スプロケット孔を有するテープキャリヤパッケージ／チップオンフィルムテープと、前記テープキャリヤパッケージ／チップオンフィルムテープの複数の第１または第２スプロケット孔の両側に形成されて、前記複数の第１または第２スプロケット孔に加えられるテンションを遮断するための支持台と、を具備することを特徴とするテンション防止構造を提供する。
ここで、前記支持台は、スズ、アルミニウム、ガラス織物、ガラス繊維、フッ素系ポリマー、ポリエチレン、ポリエステル、綿、ナイロン、熱可塑性樹脂、鉛、銅、鉄、ポリウレタン、シリコン、ポリイミド、ポリスチレン、ポリカーボネート及びポリアクリロニトリルブタジエンスチレン樹脂中のいずれか一つにより製造されることが好ましい。
前記テープキャリヤパッケージ／チップオンフィルムテープは、ポリイミドフィルムテープにスズ成分のパターンが入力及び出力パターンとして形成され、駆動集積回路が搭載され、リールに巻かれて製作されることが好ましい。
前記テープキャリヤパッケージ／チップオンフィルムテープは、必要とするだけの大きさがカッティングラインに設定され、残りは回収されることが好ましい。
【発明の効果】
【０００６】
上述したように、ＴＣＰ／ＣＯＦパンチング後に、スプロケット孔が形成されたフィルムテープが回収されて回収部に巻かれる際、既存のＴＣＰ／ＣＯＦにはユーピレックス／カプトン等のポリイミド系樹脂を主材料とするＴＣＰ／ＣＯＦのポリイミドフィルムのみが存在することから、供給／回収時に生じるテンションに耐えられなくて、切れることになるので、本発明ではこれをスプロケット孔の両側の空間にテンション体としてパターンを設計して挿入することで、テンションや支え力を支える支持台の役割を果たすことができるようにして、ＴＣＰ／ＣＯＦの供給／回収時に生じる切れを最小化する。
【０００７】
このような本発明に係るテンション防止構造によれば、ＴＣＰ／ＣＯＦを使用するＬＣＤだけでなく、通信機器及び玩具等に適用することができる。
また、本発明に係るテンション防止構造によれば、スプロケット孔が用いられる光学、映像、表面実装装置用素子などのフィルムにも利用することができる。
【発明を実施するための最良の形態】
【０００８】
以下、本発明を実施するための最良の形態によるテンション防止構造を添付の図面を参照しながら説明する。
図２は、本発明の好ましい実施の形態に係るテンション防止構造の構成を示す図面である。
図に示すように、本発明のテンション防止構造は、ＴＣＰ／ＣＯＦテープ２０２、第１支持台２０４及び第２支持台２０６を含む。
【０００９】
ＴＣＰ／ＣＯＦテープ２０２は、所定のピッチ間隔で上段及び下段に各々形成される複数の第１スプロケット孔２０８及び第２スプロケット孔２１０を有する。第１支持台２０４は、ＴＣＰ／ＣＯＦテープ２０２の複数の第１スプロケット孔２０８の両側に形成されて、複数の第１スプロケット孔２０８に加えられるテンションを遮断する。
第２支持台２０６は、ＴＣＰ／ＣＯＦテープ２０２の複数の第２スプロケット孔２１０の両側に形成されて、複数の第２スプロケット孔２１０に加えられるテンションを遮断する。
【００１０】
本発明の実施の形態によると、第１支持台２０４及び第２支持台２０６は、各々スズ、アルミニウム、ガラス織物、ガラス繊維、テフロン（登録商標）等のフッ素系ポリマー、ポリエチレン、ポリエステル、綿、ナイロン、熱可塑性樹脂、鉛、銅、鉄、ポリウレタン、シリコン、ポリイミド、ポリスチレン、ポリカーボネート、及びポリアクリロニトリルブタジエンスチレン樹脂中のいずれを用いてもよく、これらの内の一つを用いて製造されることが好ましい。
【００１１】
ＴＣＰ／ＣＯＦテープ２０２は、ユーピレックス／カプトン等のポリイミド系樹脂を主材料とするポリイミドフィルムテープにスズ成分のパターンを入力及び出力パターンとして形成した後、駆動集積回路２１２を搭載してリールに巻いて製作することになるが、必要とするだけの大きさをカッティングラインに設定し、残りは回収するように構成されている。
カッティングラインはパンチング器を介してパンチングされ、残りの部分は回収されるが、ＴＣＰ／ＣＯＦのリールを供給／回収する際、スプロケットホイールというギアを用いてギア歯が挟まるようにＴＣＰ／ＣＯＦリールに予め設計／作製されている第１及び第２スプロケット孔と噛合して供給／回収する。
【００１２】
図３は、本発明に適用できるパンチング前のＴＣＰ／ＣＯＦを示す図面であり、図４は、本発明に適用できるパンチング後のＴＣＰ／ＣＯＦを示す図面である。
ところで、スプロケットホイールは供給部に１つ、回収部に１つずつあるが、モータを使用して同じ力／長さでＴＣＰ／ＣＯＦリールを移送させ、ＴＣＰ／ＣＯＦ回収リールにＡＣモータを用いて一定の力で持続的に引っ張っている。
その際、スプロケットホイール及び回収リール、パンチング時の各部のテンションが一致しなかったり、あまり多い量のリールを巻くことになったりすれば、回転半径が変化して、一致させて置いたテンションが合わないことになり、カッティングラインに沿ってパンチングされてからのＴＣＰ／ＣＯＦとＴＣＰ／ＣＯＦ間の約２ｍｍ間隔とスプロケット孔のみを残して回収リールのテンション及び支え力等により切れることになる。
【００１３】
したがって、スプロケット孔の両側に約１ｍｍ程度の余裕空間があり、その空間は上述のように、スプロケット孔の両側にＴＣＰ／ＣＯＦの基本フィルムであるユーピレックス／カプトン等のポリイミド系樹脂を主材料とするＴＣＰ／ＣＯＦポリイミドフィルムテープのみが存在することから、これにより、その空間にテンション体としてパターンを設計し、挿入してテンションや支え力を防止する支持台を設けて、ＴＣＰ／ＣＯＦの供給／回収時に発生するＴＣＰ／ＣＯＦテープの切れを最小化する。
【００１４】
以上、本発明を特定の好ましい実施の形態として説明したが、本発明は上記の実施の形態に限るものではなく、特許請求範囲で請求する本発明の要旨を外れない範囲内で発明が属する技術分野で通常の知識を有する者であれば誰でも多様な変形が可能である。
【図面の簡単な説明】
【００１５】
【図１】従来のＴＣＰ／ＣＯＦ構造を示す図面である。
【図２】本発明の好ましい実施の形態に係るテンション防止構造の構成を示す図面である。
【図３】本発明に適用できるパンチング前のＴＣＰ／ＣＯＦを示す図面である。
【図４】本発明に適用できるパンチング後のＴＣＰ／ＣＯＦを示す図面である。
【符号の説明】
【００１６】
２０２    ＴＣＰ／ＣＯＦテープ
２０４    第１支持台
２０６    第２支持台
２０８    第１スプロケット孔
２１０    第２スプロケット孔
２１２    駆動集積回路
【図１】
2005197716.tif 000003
【図２】
2005197716.tif 000004
【図３】
2005197716.tif 000005
【図４】
2005197716.tif 000006